(57)【要約】【課題】携帯リモコンを携帯するドライバが、ドアの操作用のスイッチを長押し操作してからドアの制御を行うまでの処理時間を短縮できるようにする。【解決手段】ＰＳＤＥＣＵ２により、ワンタッチスイッチ７のドア開放とアンロックを行うための開操作に基づく操作信号が設定時間Ｔ以上継続する長押し操作があると判定された時点で、ＫＦＳＥＣＵ３により携帯リモコン１が正規であると照合されていれば、ＢＤＹＥＣＵ４およびＰＳＤＥＣＵ２により、ドアの解錠による開放制御が行われるため、長押し判定により、ドライバの手荷物などがスイッチに不用意に当たることによる誤操作を未然に防止することができる上、ドライバがワンタッチスイッチ７を長押し操作してからドアを解錠するまでの処理時間を、最長でも上記した設定時間とすることができ、全体の処理時間を従来よりも短縮することができる。【選択図】図１
2015140513.tif 000002
【特許請求の範囲】
【請求項１】
携帯リモコンを携帯するドライバが、ドアの操作用のスイッチを操作することによる操作信号が予め設定された設定時間継続するかどうか判定する判定手段と、
前記携帯リモコンとの間で識別信号の送受信を行い、前記識別信号の受信により当該携帯リモコンが正規であるかどうか照合する照合手段と、
前記判定手段により前記操作信号が予め設定された設定時間継続すると判定されること、および、前記照合手段により前記携帯リモコンが正規であると照合されることを条件に、ドアの制御を行う制御手段とを備え、
前記照合手段は、前記操作信号が継続する前記設定時間の時間範囲内に前記照合を行い、
前記制御手段は、前記操作信号の継続時間が前記設定時間を経過した時点で、前記照合手段により前記携帯リモコンが正規であると照合されていれば前記ドアの制御を行うことを特徴とする車両用ドアの制御装置。
【請求項２】
前記照合手段は、
前記操作信号の継続時間が前記設定時間を経過するタイミングで、前記携帯リモコンが正規であるかどうかの照合を終了するように照合処理を開始することを特徴とする請求項１に記載の車両用ドアの制御装置。
【発明の詳細な説明】
【技術分野】
【０００１】
本発明は、携帯リモコンを携帯するドライバがドアの操作用のスイッチが長押し操作することによる操作信号が、予め設定された設定時間以上継続すること、および、照合手段により携帯リモコンが正規であると照合されることを条件に、ドアの施錠・解錠や開閉の制御を行う車両用ドアの制御装置に関する。
【背景技術】
【０００２】
従来、車両のドアの開閉等を制御する装置として、ドライバが携帯する携帯リモコンに設けられたロックスイッチまたはアンロックスイッチがオン操作され、当該携帯リモコンが正規であるとの照合がなされることを条件に、ドアを施錠または解錠して開閉を許容するものが提案されている（例えば、特許文献１）。
【先行技術文献】
【特許文献】
【０００３】
【特許文献１】特開２００２−１３８７２４号公報（段落００２０および図２参照）
【発明の概要】
【発明が解決しようとする課題】
【０００４】
ところが、上記した特許文献１に記載の装置の場合、ロックスイッチまたはアンロックスイッチがオン操作されたかどうかの判断を行った後に、当該携帯リモコンが正規かどうかの判断を行うため、ロックスイッチまたはアンロックスイッチのオンからドアの施錠または解錠を許容するに至るまでの処理時間が長くなるという問題がある。
【０００５】
さらに、ドライバが実際にはロックスイッチ、アンロックスイッチを操作していないにもかかわらず、ドライバの手荷物などが携帯リモコンのロックスイッチ、アンロックスイッチに当たり、ロックスイッチ、アンロックスイッチがドライバの意に反してオン操作されることによりドアが施錠、解錠されるという誤操作を防止する必要性から、ロックスイッチ、アンロックスイッチが所定時間以上にわたって長押しオン操作されるように設定することが考えられている。しかしこの場合には、実際にドライバがロックスイッチ、アンロックスイッチをオン操作してからドアの施錠、解錠を許容するに至るまでの処理時間がよりいっそう長くなってしまう。
【０００６】
また近年、スライドドアを備えた車両において、ワンアクション制御として、ドアのアウタハンドル等に設けられたワンタッチスイッチを所定時間以上長押しするだけで、スライドドアのロックを解除するとともに、スライドドアモータを駆動してドアを開放制御するものが提案されており、このときキフリーシステムを搭載した車両であって、スイッチ操作する者が正規の車両所有者かどうかのキー照合判定を行うものもあり、このような場合には、長押し判定の後に照合判定が行われるため、全体の処理時間が長くなってしまう。
【０００７】
本発明は、携帯リモコンを携帯するドライバが、ドアの操作用のスイッチを長押し操作してからドアの制御を行うまでの処理時間を短縮できるようにすることを目的とする。
【課題を解決するための手段】
【０００８】
上記した目的を達成するために、本発明の車両用ドアの開閉制御装置は、携帯リモコンを携帯するドライバが、ドアの操作用のスイッチを操作することによる操作信号が予め設定された設定時間継続するかどうか判定する判定手段と、
前記携帯リモコンとの間で識別信号の送受信を行い、前記識別信号の受信により当該携帯リモコンが正規であるかどうか照合する照合手段と、前記判定手段により前記操作信号が予め設定された設定時間継続すると判定されること、および、前記照合手段により前記携帯リモコンが正規であると照合されることを条件に、ドアの制御を行う制御手段とを備え、前記照合手段は、前記操作信号が継続する前記設定時間の時間範囲内に前記照合を行い、前記制御手段は、前記操作信号の継続時間が前記設定時間を経過した時点で、前記照合手段により前記携帯リモコンが正規であると照合されていれば前記ドアの制御を行うことを特徴としている（請求項１）。
【０００９】
また、前記照合手段は、前記操作信号の継続時間が前記設定時間を経過するタイミングで、前記携帯リモコンが正規であるかどうかの照合を終了するように照合処理を開始するようにするとよい（請求項２）。
【発明の効果】
【００１０】
請求項１に係る発明によれば、判定手段により、操作信号が設定時間継続すると判定された時点で、照合手段により携帯リモコンが正規であると照合されていれば、制御手段により、ドアの制御が行われるため、スイッチの操作信号が設定時間以上継続するかどうかを判定することで、ドライバの手荷物などがスイッチに不用意に当たることによる誤操作を未然に防止することができる上、ドライバがスイッチを操作してからドアの制御を行うまでの処理時間を最長でも上記した設定時間に短縮することができ、従来のように、スイッチの長押し判定と携帯リモコンの照合とを順次行う場合に比べて全体の処理時間を短くすることができる。
【００１１】
請求項２に係る発明によれば、操作信号の継続時間が設定時間を経過するタイミングよりも、携帯リモコンが正規であるかどうかの照合が先に終了すると、正規であるという照合結果を保持するメモリ等が必要になるが、操作信号の継続判定の終了と携帯リモコンの照合の終了とを同じタイミングにすることにより、照合結果を保持するためのメモリは不要になって構成を安価かつ簡素化できる。
【００１２】
また仮に、操作信号の継続時間が設定時間を経過するタイミングよりも、携帯リモコンが正規であるかどうかの照合が先に終了する場合であっても、携帯リモコンが正規であるかどうかの照合が終了するタイミングを設定時間の経過時点に極力近くなるように照合処理の開始時期を設定すれば、照合結果を保持するためのメモリは容量的にも小さいもので済み、コスト低減を図ることができる。
【図面の簡単な説明】
【００１３】
【図１】本発明に係る車両用ドアの制御装置の第１実施形態のブロック構成図である。
【図２】図１の動作説明用タイミングチャートである。
【図３】本発明の第２実施形態の動作説明用タイミングチャートである。
【発明を実施するための形態】
【００１４】
＜第１実施形態＞
本発明をパワースライドドアの開閉制御に適用した第１実施形態について、図１のブロック構成図、図２のタイミングチャートを参照して詳細に説明する。
【００１５】
本実施形態の車両用ドアの開閉制御装置は、図１に示すように、ドライバにより携帯されドアの施錠・解錠用のロックスイッチ１ａおよびアンロックスイッチ１ｂを有する携帯リモコン１と、パワースライドドアの開閉の制御を司るマイクロコンピュータ構成のＰＳＤＥＣＵ（Ｐｏｗｅｒ  Ｓｌｉｄｅ  Ｄｏｏｒ  Ｅｌｅｃｔｒｏｎｉｃ  Ｃｏｎｔｒｏｌ  Ｕｎｉｔ）２と、携帯リモコン１からの無線信号による識別信号を受信して当該携帯リモコン１が正規かどうかの判定に関する制御を司るマイクロコンピュータ構成のＫＦＳ（Ｋｅｙ  Ｆｒｅｅ  Ｓｙｓｔｅｍ）ＥＣＵ３と、所定条件下でドアの施錠および解錠の制御を司るマイクロコンピュータ構成のＢＤＹ（Ｂｏｄｙ）ＥＣＵ４とを備えている。そして、各ＥＣＵ２，３，４は個別に処理を行うが、処理結果は、ＰＳＤＥＣＵ２，ＫＦＳＥＣＵ３，ＢＤＹＥＣＵ４の順で引き渡されるようになっている。
【００１６】
携帯リモコン１は、自車両から所定距離のエリア内に入ると、上記したようにＫＦＳＥＣＵ３との間で照合のための識別信号を送信するとともに、ロックスイッチ１ａおよびアンロックスイッチ１ｂの操作に基づくロック指令信号およびアンロック指令信号をそれぞれ送信する送信機能を有する。
【００１７】
ＰＳＤＥＣＵ２は、ＰＳＤアクチュエータ６を制御してパワースライドモータを駆動する。そして、アウタハンドルに設けられたワンタッチスイッチ７は、スライドドアの開放とアンロックを一緒に行う開操作と、スライドドアの閉操作とを行うものであり、ドライバがワンタッチスイッチ７を設定時間Ｔ以上の長押しによるスライドドアの開操作することによる開操作信号、または閉操作することによる閉操作信号が設定時間Ｔ以上継続するかどうか判定し、継続すればＫＦＳＥＣＵ３を経てＢＤＹＥＣＹ４に対して後述するロックアクチュエータによるドアの解錠または施錠の要求を発し、この要求に対するロックアクチュエータの作動の報知を受けるとともに、ＰＳＤアクチュエータ６を制御してパワースライドモータを駆動し、スライドドアを開放制御または閉塞制御する。このＰＳＤＥＣＵ２によるワンタッチスイッチ７の開操作、閉操作時の長押し操作の判定処理が、本発明における判定手段に相当する。
【００１８】
ＫＦＳＥＣＵ３は、ドアが施錠（ロック）状態のときに、携帯リモコン１からの無線信号による識別信号を受信する機能を有し、内蔵メモリ３ａに予め格納されている当該携帯リモコン１が正規であることを示すコードと、受信した識別信号のコードとを照合して当該携帯リモコン１が正規かどうかの判定を行う。ここで、ＫＦＳＥＣＵ３による当該携帯リモコン１が正規かどうかの照合機能が、本発明における照合手段に相当する。
【００１９】
ＰＳＤＥＣＵ２によるワンタッチスイッチ７の開操作における設定時間Ｔ以上の長押しがあるとの判定結果をＫＦＳＥＣＵ３が受け、かつ、ＫＦＳＥＣＵ３により、携帯リモコン１が正規であると照合されることを条件に、ＢＤＹＥＣＵ４がロックアクチュエータ８を制御してドアの解錠を行い、ＢＤＹＥＣＵ４によるロックアクチュエータ８の作動がＰＳＤＥＣＵ２に報知されることにより、ＰＳＤＥＣＵ２によるＰＳＤアクチュエータ６の制御が可能になり、スライドドアの開放が許容される。なお、ドアが解錠（アンロック）状態のときにはＫＦＳＥＣＵ３による照合は行われず、ワンタッチスイッチ７の操作に基づき閉塞状態のスライドドアの開放、或いは、開放状態のスライドドアの閉塞制御が行われる。このようなＢＤＹＥＣＵ４およびＰＳＤＥＣＵ２によるスライドドアの制御機能が、本発明における制御手段に相当する。
【００２０】
そして、ドライバが閉塞状態のスライドドアの開放を行うためにワンタッチスイッチ７を開操作する場合、自車両から所定距離のエリア内にある携帯リモコン１を携帯したドライバがワンタッチスイッチ７の長押し操作を図２（ａ）に示す時刻ｔ０に開始すると、同図（ｂ）に示すように、ワンタッチスイッチ７の操作開始時刻ｔ０よりも少し遅れた時刻ｔ１から予め設定された設定時間Ｔ後の時刻ｔ３までの間、ＰＳＤＥＣＵ２によりワンタッチスイッチ７の長押し操作による開操作信号が継続受信されているかどうかの長押し判定が開始される。
【００２１】
さらに、図２（ｃ）に示すように、上記した長押し判定が行われる設定時間Ｔ内にＫＦＳＥＣＵ３により携帯リモコン１からの識別信号に基づく照合が行われるが、このときＫＦＳＥＣＵ３による照合時間Ｔｓは予めどれだけの時間が必要かわかっており、しかもこの照合時間Ｔｓは上記した長押し判定のための設定時間Ｔよりも短いため、長押し判定が終了する時刻ｔ３に照合が終了するように、時刻ｔ２から逆算して時刻ｔ２よりも時間Ｔｓだけ早い時刻ｔ２に照合が開始され、長押し判定と照合とが並行して実行される。
【００２２】
その結果、図２（ｄ）に示すように、時刻ｔ３にＰＳＤＥＣＵ２による長押し判定が終了するのと同時に、ＫＦＳＥＣＵ３による照合処理も終了し、長押し判定の結果および照合処理の結果の両方を受けて、正規の携帯リモコン１を携帯した正規のドライバによりワンタッチスイッチ７が長押しされたと判断され、ＢＤＹＥＣＵ４によりロックアクチュエータ８が制御されてドアの解錠が行われ、その後同図（ｅ）に示すように、時刻ｔ４にＰＳＤＥＣＵ２によるＰＳＤアクチュエータ６の制御によりパワースライドモータが駆動され、スライドドアが開放される。
【００２３】
なお、ワンタッチスイッチ７の閉操作時にも、誤操作防止のためにワンタッチスイッチ７の長押し判定が行われ、誤操作でなければスライドドアの閉塞制御が行われるが、上記した携帯リモコン１の照合判定は行われない。
【００２４】
したがって、上記した第１実施形態によれば、ワンタッチスイッチ７の開操作が設定時間Ｔ以上継続すると判定された時点で、ＫＦＳＥＣＵ３により携帯リモコン１が正規であると照合されていれば、ＢＤＹＥＣＵ４およびＰＳＤＥＣＵ２により、施錠状態のスライドドアの解錠および開放制御が行われるため、長押し判定によりドライバの手荷物などがスイッチに不用意に当たることによる誤操作を未然に防止することができる上、ドライバがワンタッチスイッチ７を開操作してからドアを解錠するに至るまでの処理時間を、最長でも上記した設定時間Ｔとすることができ、従来のようにスイッチの長押し判定と携帯リモコンの照合判定とを順次行う場合に比べて、全体の処理時間を短縮することができる。
【００２５】
また、ワンタッチスイッチ７の開操作に基づく操作信号の継続時間が設定時間Ｔを経過するのと同時に、携帯リモコン１の照合が終了するため、照合結果を保持しておくメモリは不要になる。
【００２６】
＜第２実施形態＞
本発明の第２実施形態について、図３のタイミングチャートを参照して説明する。なお、第２実施形態において上記した第１実施形態と相違するのは、ワンタッチスイッチ７の開操作の長押し判定の終了の直前に携帯リモコン１の照合が終了するようにした点であり、その他は第１実施形態と同じであるため、以下の説明では、図１も参照する。
【００２７】
ドライバがスライドドアの解錠と開放を行う場合、自車両から所定距離のエリア内にある携帯リモコン１を携帯したドライバがワンタッチスイッチ７の長押し操作を図２（ａ）に示す時刻ｔ０に開始すると、同図（ｂ）に示すように、ワンタッチスイッチ７の操作開始時刻ｔ０よりも少し遅れた時刻ｔ１から予め設定された設定時間Ｔ後の時刻ｔ３までの間、ＰＳＤＥＣＵ２によりワンタッチスイッチ７の長押し操作による開操作信号が継続受信されているかどうかの長押し判定が開始される。
【００２８】
そして、図３（ｃ）に示すように、時刻ｔ１よりも少し遅れた時刻ｔ１’にＫＦＳＥＣＵ３により携帯リモコン１からの識別信号に基づく照合が開始され、照合に必要なＴｓ時間後の時刻ｔ２’に照合が終了し、その後同図（ｂ）に示すように時刻ｔ３に長押し判定が終了するが、時刻ｔ２’からｔ３までの間、ＫＦＳＥＣＵ３による「正規である」との照合結果は、例えばＫＦＳＥＣＵ３の内蔵メモリ３ａやその他の内蔵メモリの所定ビットを利用し、フラグをオンするなどして保持され、時刻ｔ３に、長押し判定の結果とメモリ３ａ等に保持された照合処理の結果の両方を受けて、同図（ｄ）に示すように、時刻ｔ３にＢＤＹＥＣＵ４によりロックアクチュエータ８が制御されてドアの解錠が行われ、その後同図（ｅ）に示すように、時刻ｔ４にＰＳＤＥＣＵ２によるＰＳＤアクチュエータ６の制御によりパワースライドモータが駆動され、スライドドアが開放される。
【００２９】
なお、本実施形態においても、ワンタッチスイッチ７の閉操作時にも、誤操作防止のためにワンタッチスイッチ７の長押し判定が行われ、誤操作でなければスライドドアの閉塞制御が行われるが、上記した携帯リモコン１の照合判定は行われない。
【００３０】
したがって、第２実施形態によれば、第１実施形態と同様、従来のようにスイッチの長押し判定と携帯リモコン１の照合判定とを順次行う場合に比べて、全体の処理時間を短縮することができる。
【００３１】
さらに、第２実施形態では、ワンタッチスイッチ７の開操作に基づく操作信号が設定時間Ｔ以上継続するかどうかの判定を終了するタイミングよりも、携帯リモコン１が正規であるかどうかの照合が先に終了するが、携帯リモコン１が正規であるかどうかの照合が終了する時刻ｔ２’は、設定時間Ｔの経過時刻ｔ３に近くなるよう設定されているため、ＫＦＳＥＣＵ３の内蔵メモリの照合結果を保持に要する容量は小さくて済み、コストの上昇を極力抑えることができる。
【００３２】
また、上記した第１実施形態では、長押し判定と照合とが同じタイミングで終了するように設定されているが、ノイズその他の要因で照合処理の終了に遅れが生じて全体の処理時間が延びてしまうことも考えられ、何らかの特別な遅れ対策が必要になるが、第２実施形態ではこのような遅れも特別な遅れ対策を採らなくても処理時間が延びることを防止できるという利点もある。
【００３３】
なお、本発明は上記した実施形態に限定されるものではなく、本発明の趣旨を逸脱しない限りにおいて種々の変更が可能である。
【００３４】
例えば、上記した第２実施形態では、照合結果をＫＦＳＥＣＵ３の内蔵メモリ３ａに保持するようにした例を説明したが、外部メモリに保持するようにしてよいのは勿論である。
【００３５】
また、上記した両実施形態では、スライドドアの開閉制御に適用した場合について説明したがスライドドアに限らず、通常のドアの開閉制御に適用することも可能であり、要するに上記したような長押し判定と照合処理とを行う制御装置に適用することができる。さらに、携帯リモコン１のロックスイッチ１ａおよび／またはアンロックスイッチ１ｂの長押し判定と照合の判定処理に対して、本発明を適用してもかまわない。
【符号の説明】
【００３６】
１    …携帯リモコン
２    …ＰＳＤＥＣＵ（判定手段、制御手段）
３    …ＫＦＳＥＣＵ（照合手段）
４    …ＢＤＹＥＣＵ（制御手段）
７    …ワンタッチスイッチ
【図１】
2015140513.tif 000003
【図２】
2015140513.tif 000004
【図３】
2015140513.tif 000005